(57)【要約】      （修正有）【課題】旅行先等で現金が必要な場合に迅速且つ簡単に現金を入手することができる出金制御装置、出金制御方法、および出金制御プログラムを提供する。【解決手段】カード会社サーバ１１１は、登録部４０１と、第１取得部４０２と、許可部４０３とを有する。登録部４０１は、あらかじめ利用者ごとに、出金情報を登録する。出金情報は、利用者識別情報と、現金の入手先に関する情報とを含む。利用者識別情報は、パスポートの情報と、当該パスポートの情報に対応付けられる認証情報とを含む。第１取得部４０２は、利用者から提示される、パスポートの情報および認証情報を含む提示情報を取得する。許可部４０３は、第１取得部４０２によって取得された提示情報と、登録部４０１に登録された利用者識別情報とを用いた認証結果に応じて、現金の入手先から利用者が所望する金額の出金を許可する。【選択図】図４
2019049911.tif 000002
【特許請求の範囲】
【請求項１】
あらかじめ利用者ごとに、パスポートの情報および当該パスポートの情報に対応付けられる認証情報を含む利用者識別情報と、現金の入手先に関する情報と、を登録する登録手段と、
利用者から提示される、パスポートの情報および認証情報を含む提示情報を取得する第１取得手段と、
前記第１取得手段によって取得された前記提示情報と、前記登録手段に登録された前記利用者識別情報とを用いた認証結果に応じて、前記現金の入手先から前記利用者が所望する金額の出金を許可する許可手段と、
を備えたことを特徴とする出金制御装置。
【請求項２】
前記現金の入手先に関する情報は、所定のカードに対応する前記入手先に関する情報を含み、
前記第１取得手段は、利用者が有する前記所定のカードのカード情報を取得し、
前記許可手段は、前記認証結果に応じて、または、前記第１取得手段によって取得された前記カード情報に応じて、前記出金を許可する、
ことを特徴とする請求項１に記載の出金制御装置。
【請求項３】
前記許可手段は、
前記カードの利用が可能な状態である場合に、前記認証結果に応じた前記出金を許可しないこととし、
前記カードの利用が不可能な状態である場合に、前記認証結果に応じた前記出金を許可する、
ことを特徴とする請求項２に記載の出金制御装置。
【請求項４】
渡航先の所定の機関によって発行され、パスポートの代わりとなる渡航書の情報を取得する第２取得手段をさらに備え、
前記登録手段は、あらかじめ登録したパスポートの情報のうち、前記第２取得手段によって取得された前記渡航書の情報に対応するパスポートの情報を、前記渡航書の情報に書き換えて前記利用者識別情報を登録し、
前記第１取得手段は、利用者から提示される渡航書の情報と、前記認証情報とを含む提示情報を取得する、
ことを特徴とする請求項１〜３のいずれか一つに記載の出金制御装置。
【請求項５】
前記登録手段は、利用者が指定した渡航先を示す情報を登録し、
前記第１取得手段は、利用者の所在地を示す情報を取得し、
前記許可手段は、前記所在地が前記渡航先に該当する場合に、前記所在地において前記認証結果に応じた前記出金を許可する、
ことを特徴とする請求項１〜４のいずれか一つに記載の出金制御装置。
【請求項６】
前記登録手段は、前記渡航先ごとの上限の金額を示す情報を登録し、
前記第１取得手段は、所望の出金額を示す情報を取得し、
前記許可手段は、前記所望の出金額が前記渡航先ごとの前記上限の金額の範囲内である場合に、前記認証結果に応じた前記出金を許可することを特徴とする請求項５に記載の出金制御装置。
【請求項７】
前記登録手段は、前記渡航先の滞在期間を示す情報を登録し、
前記第１取得手段は、前記提示情報が提示された日時を示す情報を取得し、
前記許可手段は、前記日時が前記滞在期間に該当する場合に、前記認証結果に応じた前記出金を許可する、
ことを特徴とする請求項５または６に記載の出金制御装置。
【請求項８】
前記第１取得手段は、前記渡航先から利用者が出国した旨の出国情報を取得し、
前記許可手段は、前記第１取得手段によって前記出国情報が取得された場合、前記渡航先において前記認証結果に応じた前記出金を許可しないこととする、
ことを特徴とする請求項５〜７のいずれか一つに記載の出金制御装置。
【請求項９】
あらかじめ利用者ごとに、パスポートの情報および当該パスポートの情報に対応付けられる認証情報を含む利用者識別情報と、現金の入手先に関する情報と、を登録し、
利用者から提示される、パスポートの情報および認証情報を含む提示情報を取得し、
取得した前記提示情報と、登録した前記利用者識別情報とを用いた認証結果に応じて、前記現金の入手先から前記利用者が所望する金額の出金を許可する、
処理をコンピュータが実行することを特徴とする出金制御方法。
【請求項１０】
あらかじめ利用者ごとに、パスポートの情報および当該パスポートの情報に対応付けられる認証情報を含む利用者識別情報と、現金の入手先に関する情報と、を登録し、
利用者から提示される、パスポートの情報および認証情報を含む提示情報を取得し、
取得した前記提示情報と、登録した前記利用者識別情報とを用いた認証結果に応じて、前記現金の入手先から前記利用者が所望する金額の出金を許可する、
処理をコンピュータに実行させることを特徴とする出金制御プログラム。
【発明の詳細な説明】
【技術分野】
【０００１】
この発明は、出金制御装置、出金制御方法、および出金制御プログラムに関する。
【背景技術】
【０００２】
従来、海外旅行等などの渡航先で、渡航者が現金を持ち合わせていない場合、たとえば、クレジットカードのキャッシングにより、または、渡航先において利用可能な銀行口座がある場合には当該銀行口座にあらかじめ現金を預けておくことにより、渡航先においても現金を入手することが可能である。
【０００３】
また、渡航先で現金が必要な場合において、渡航者がクレジットカードや銀行のキャッシュカードを紛失等により利用できない場合には、たとえば、本国の送金者に送金の依頼を連絡する。そして、送金者が本国の所定の取扱店で送金手続をおこない、渡航者が渡航先の所定の取扱店で受取手続をおこなうことにより、送金された金額を受け取る、といったことが行われている。
【０００４】
関連する先行技術として、送金依頼を受けると、ＩＤとパスワードを発行して送金依頼人と受取人とに通知し、受取人からのＩＤとパスワードの入力により、パスワードがコード化された引換証のデータを受取人に転送し、ＡＴＭ（Ａｕｔｏｍａｔｅｄ  Ｔｅｌｌｅｒ  Ｍａｃｈｉｎｅ）でこの引換証による払出し操作時に入力されるパスワードと、コードが示すパスワードとが一致したら、金額の払出しをおこなう方法が開示されている（たとえば、下記特許文献１参照。）。
【先行技術文献】
【特許文献】
【０００５】
【特許文献１】特開２００６−１２７４５３号公報
【発明の概要】
【発明が解決しようとする課題】
【０００６】
しかしながら、従来技術では、送金者にとって各種手続をおこなうことが手間であり、また、送金者の対応次第によっては送金が完了するまでに時間を要することがあり、現金が必要な場合に、迅速且つ簡単に現金を入手することができないことがある、といった問題があった。
【０００７】
この発明は、上述した従来技術による問題点を解消するため、旅行先等で現金が必要な場合に迅速且つ簡単に現金を入手することができる出金制御装置、出金制御方法、および出金制御プログラムを提供することを目的とする。
【課題を解決するための手段】
【０００８】
上述した課題を解決し、目的を達成するため、この発明にかかる出金制御装置は、あらかじめ利用者ごとに、パスポートの情報および当該パスポートの情報に対応付けられる認証情報を含む利用者識別情報と、現金の入手先に関する情報と、を登録する登録手段と、利用者から提示される、パスポートの情報および認証情報を含む提示情報を取得する第１取得手段と、前記第１取得手段によって取得された前記提示情報と、前記登録手段に登録された前記利用者識別情報とを用いた認証結果に応じて、前記現金の入手先から前記利用者が所望する金額の出金を許可する許可手段と、を備えたことを特徴とする。
【０００９】
また、この発明にかかる出金制御装置は、上記発明において、前記現金の入手先に関する情報は、所定のカードに対応する前記入手先に関する情報を含み、前記第１取得手段は、利用者が有する前記所定のカードのカード情報を取得し、前記許可手段は、前記認証結果に応じて、または、前記第１取得手段によって取得された前記カード情報に応じて、前記出金を許可する、ことを特徴とする。
【００１０】
また、この発明にかかる出金制御装置は、上記発明において、前記許可手段は、前記カードの利用が可能な状態である場合に、前記認証結果に応じた前記出金を許可しないこととし、前記カードの利用が不可能な状態である場合に、前記認証結果に応じた前記出金を許可する、ことを特徴とする。
【００１１】
また、この発明にかかる出金制御装置は、上記発明において、渡航先の所定の機関によって発行され、パスポートの代わりとなる渡航書の情報を取得する第２取得手段をさらに備え、前記登録手段は、あらかじめ登録したパスポートの情報のうち、前記第２取得手段によって取得された前記渡航書の情報に対応するパスポートの情報を、前記渡航書の情報に書き換えて前記利用者識別情報を登録し、前記第１取得手段は、利用者から提示される渡航書の情報と、前記認証情報とを含む提示情報を取得する、ことを特徴とする。
【００１２】
また、この発明にかかる出金制御装置は、上記発明において、前記登録手段は、利用者が指定した渡航先を示す情報を登録し、前記第１取得手段は、利用者の所在地を示す情報を取得し、前記許可手段は、前記所在地が前記渡航先に該当する場合に、前記所在地において前記認証結果に応じた前記出金を許可する、ことを特徴とする。
【００１３】
また、この発明にかかる出金制御装置は、上記発明において、前記登録手段は、前記渡航先ごとの上限の金額を示す情報を登録し、前記第１取得手段は、所望の出金額を示す情報を取得し、前記許可手段は、前記所望の出金額が前記渡航先ごとの前記上限の金額の範囲内である場合に、前記認証結果に応じた前記出金を許可することを特徴とする。
【００１４】
また、この発明にかかる出金制御装置は、上記発明において、前記登録手段は、前記渡航先の滞在期間を示す情報を登録し、前記第１取得手段は、前記提示情報が提示された日時を示す情報を取得し、前記許可手段は、前記日時が前記滞在期間に該当する場合に、前記認証結果に応じた前記出金を許可する、ことを特徴とする。
【００１５】
また、この発明にかかる出金制御装置は、上記発明において、前記第１取得手段は、前記渡航先から利用者が出国した旨の出国情報を取得し、前記許可手段は、前記第１取得手段によって前記出国情報が取得された場合、前記渡航先において前記認証結果に応じた前記出金を許可しないこととする、ことを特徴とする。
【００１６】
また、この発明にかかる出金制御方法は、あらかじめ利用者ごとに、パスポートの情報および当該パスポートの情報に対応付けられる認証情報を含む利用者識別情報と、現金の入手先に関する情報と、を登録し、利用者から提示される、パスポートの情報および認証情報を含む提示情報を取得し、取得した前記提示情報と、登録した前記利用者識別情報とを用いた認証結果に応じて、前記現金の入手先から前記利用者が所望する金額の出金を許可する、処理をコンピュータが実行することを特徴とする。
【００１７】
また、この発明にかかる出金制御プログラムは、あらかじめ利用者ごとに、パスポートの情報および当該パスポートの情報に対応付けられる認証情報を含む利用者識別情報と、現金の入手先に関する情報と、を登録し、利用者から提示される、パスポートの情報および認証情報を含む提示情報を取得し、取得した前記提示情報と、登録した前記利用者識別情報とを用いた認証結果に応じて、前記現金の入手先から前記利用者が所望する金額の出金を許可する、処理をコンピュータに実行させることを特徴とする。
【発明の効果】
【００１８】
この発明にかかる出金制御装置、出金制御方法、および出金制御プログラムによれば、旅行先等で現金が必要な場合に、迅速且つ簡単に現金を入手することができる、という効果を奏する。
【図面の簡単な説明】
【００１９】
【図１】図１は、実施の形態にかかる出金制御システム１００のシステム構成例を示す説明図である。
【図２Ａ】図２Ａは、カード会社サーバ１１１のハードウエア構成の一例を示すブロック図である。
【図２Ｂ】図２Ｂは、第１国端末１２１および第２国端末１３１のハードウエア構成の一例を示すブロック図である。
【図３Ａ】図３Ａは、カード情報データベース（ＤＢ）１１２の記憶内容の一例を示す説明図である。
【図３Ｂ】図３Ｂは、利用者識別情報データベース（ＤＢ）１１３の記憶内容の一例を示す説明図である。
【図３Ｃ】図３Ｃは、変更利用者識別情報データベース（ＤＢ）１１４の記憶内容の一例を示す説明図である。
【図３Ｄ】図３Ｄは、渡航情報データベース（ＤＢ）１１５の記憶内容の一例を示す説明図である。
【図４】図４は、カード会社サーバ１１１の機能的構成を示す説明図である。
【図５Ａ】図５Ａは、第１国端末１２１に表示される出金情報受付画面の一例を示す説明図である。
【図５Ｂ】図５Ｂは、第２国端末１３１に表示される利用者識別情報変更画面の一例を示す説明図である。
【図６Ａ】図６Ａは、第２国端末１３１に表示される提示情報入力画面の一例を示す説明図である。
【図６Ｂ】図６Ｂは、第２国端末１３１に表示される出金可能画面の一例を示す説明図である。
【図６Ｃ】図６Ｃは、第２国端末１３１に表示される出金エラー画面の一例を示す説明図である。
【図７】図７は、第１国端末１２１がおこなう出金情報受付処理手順の一例を示すフローチャートである。
【図８】図８は、カード会社サーバ１１１がおこなう登録処理手順の一例を示すフローチャートである。
【図９】図９は、第２国端末１３１がおこなう出金手続処理手順の一例を示すフローチャートである。
【図１０】図１０は、カード会社サーバ１１１がおこなう出金判定処理手順の一例を示すフローチャートである。
【発明を実施するための形態】
【００２０】
以下に図面を参照して、この発明にかかる出金制御装置、出金制御方法、および出金制御プログラムの実施の形態を詳細に説明する。
【００２１】
（出金制御システムのシステム構成）
まず、実施の形態にかかる出金制御システム１００のシステム構成例について説明する。図１は、実施の形態にかかる出金制御システム１００のシステム構成例を示す説明図である。図１において、出金制御システム１００は、カード会社サーバ１１１と、第１国端末１２１と、第２国端末１３１と、を有する。
【００２２】
カード会社サーバ１１１は、たとえば、クレジットカードのカード会社１１０に設けられるサーバであり、出金制御装置の一例である。カード会社サーバ１１１は、利用者１２０が有するクレジットカードのカード情報を管理するパーソナルコンピュータなどの汎用的なコンピュータ装置である。カード会社サーバ１１１は、ＣＰＵ（Ｃｅｎｔｒａｌ  Ｐｒｏｃｅｓｓｉｎｇ  Ｕｎｉｔ）やメモリやインタフェースなどを有する。
【００２３】
また、カード会社サーバ１１１は、カード情報データベース（ＤＢ）１１２と、利用者識別情報データベース（ＤＢ）１１３と、変更利用者識別情報データベース（ＤＢ）１１４と、渡航情報データベース（ＤＢ）１１５とを有する。各種ＤＢ１１２〜１１５の記憶内容については、図３Ａ〜図３Ｄを用いて後述する。
【００２４】
第１国端末１２１は、たとえば、渡航前の第１国の所定の店舗に設けられるコンピュータ装置である。第１国は、たとえば、利用者１２０の自国（国籍国）であり、本実施の形態においては日本国とする。所定の店舗は、たとえば、旅行代理店の店舗や、カード会社サーバ１１１やその他の金融機関の店舗などである。第１国端末１２１には、たとえば、デスクトップ型ＰＣ（Ｐｅｒｓｏｎａｌ  Ｃｏｍｐｕｔｅｒ）、ノート型ＰＣ、タブレット型ＰＣなどの各種ＰＣを用いることが可能である。
【００２５】
ただし、第１国端末１２１は、所定の店舗に設けられるコンピュータ装置に限らず、利用者１２０が有するスマートフォン、各種ＰＣ、携帯電話機、ＰＨＳ（Ｐｅｒｓｏｎａｌ  Ｈａｎｄｙｐｈｏｎｅ  Ｓｙｓｔｅｍ）とすることも可能であるし、ＡＴＭ（Ａｕｔｏｍａｔｅｄ  Ｔｅｌｌｅｒ  Ｍａｃｈｉｎｅ）とすることも可能である。第１国端末１２１は、ＣＰＵやメモリやインタフェースなどを有する。
【００２６】
第２国端末１３１は、たとえば、渡航先の第２国の所定の店舗に設けられるコンピュータ装置である。第２国は、たとえば、自国を除いた国である。所定の店舗は、たとえば、旅行代理店の店舗や、金融機関の店舗などである。第２国端末１３１には、たとえば、デスクトップ型ＰＣ、ノート型ＰＣ、タブレット型ＰＣなどの各種ＰＣを用いることが可能である。
【００２７】
ただし、第２国端末１３１は、所定の店舗に設けられるコンピュータ装置に限らず、利用者１２０が有するスマートフォン、各種ＰＣ、携帯電話機、ＰＨＳなどとすることも可能であるし、ＡＴＭとすることも可能である。第２国端末１３１は、ＣＰＵやメモリやインタフェースなどを有する。
【００２８】
出金制御システム１００において、カード会社サーバ１１１と、第１国端末１２１と、第２国端末１３１とは、有線または無線のネットワーク１４０を介して接続される。ネットワーク１４０は、たとえば、インターネット、移動体通信網などである。ただし、ネットワーク１４０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などであってもよい。
【００２９】
カード会社サーバ１１１には、この発明にかかる出金制御プログラムがインストールされている。カード会社サーバ１１１は、第１国端末１２１や第２国端末１３１からの各種要求に応じた処理をおこなって、第１国端末１２１や第２国端末１３１に対して各種処理結果を出力する。
【００３０】
ここで、本実施の形態にかかる出金制御方法について説明する。以下に示す括弧書きの番号は、図１の括弧書きに示す番号と対応するものとする。図１の（１）に示すように、第１国端末１２１は、利用者１２０からの申告や入力に基づいて、カード会社サーバ１１１に登録する出金情報の入力を受け付ける。出金情報は、利用者識別情報と、現金の入手先に関する情報と、を含む。利用者識別情報は、パスポート１２２の情報と、パスポート１２２の情報に対応付けられる認証情報とを含む。
【００３１】
パスポート１２２の情報は、パスポート１２２に固有の情報であり、たとえば、パスポート１２２のパスポート番号である。認証情報は、生体認証やパスワード認証などの各認証における登録情報である。現金の入手先に関する情報は、たとえば、現金の借入先の情報や引出先の情報である。第１国端末１２１は、受け付けた出金情報をカード会社サーバ１１１へ送信する。
【００３２】
（２）カード会社サーバ１１１は、第１国端末１２１から送信された出金情報を受信すると、利用者識別情報ＤＢ１１３などに、受信した出金情報を利用者１２０ごとに登録する。
【００３３】
自国において出金情報の登録が完了した後、利用者１２０が、旅行等により第２国に渡航したとする。利用者１２０は、たとえば、パスポート１２２をバックパック１３２に収納する。パスポート１２２は、入出国の審査に用いられ、利用者１２０にとって非常に重要なものである。そのため、パスポート１２２は、パスポート１２２によって厳重に管理され、たとえば、バックパック１３２の底部分に収納され、南京錠が掛けられる。
【００３４】
ここで、利用者１２０は、第２国において現金が必要になったとする。ところが、第２国において、利用者１２０は、たとえば、クレジットカードの盗難被害に遭い、クレジットカードを所持していないものとする。また、利用者１２０は、渡航先において利用可能な銀行口座もないものとする。
【００３５】
（３）そこで、本実施の形態において、第２国端末１３１は、利用者１２０からの申告や入力に基づいて、パスポート１２２の情報と認証情報とを含む提示情報を受け付ける。第２国端末１３１は、受け付けた提示情報をカード会社サーバ１１１へ送信する。
【００３６】
（４）カード会社サーバ１１１は、第２国端末１３１から提示情報を受信すると、受信した提示情報に含まれるパスポート１２２の情報および認証情報と、登録した利用者識別情報に含まれるパスポート１２２の情報および認証情報と、を用いた認証をおこなう。
【００３７】
（５）認証に成功すると、カード会社サーバ１１１は、あらかじめ登録した現金の入手先から、利用者１２０が所望する金額の出金を許可する。出金される通貨は、渡航先の通貨とする。認証に失敗すると、カード会社サーバ１１１は、利用者１２０が所望する金額の出金を許可しないこととする。
【００３８】
以上のように、カード会社サーバ１１１は、あらかじめ登録したパスポート１２２の情報と認証情報とを用いた認証を行って、認証に成功すると、あらかじめ登録した現金の入手先から所望の金額の出金を許可することとした。したがって、カード会社サーバ１１１によれば、利用者１２０がクレジットカードを所持していなくても、パスポート１２２の情報と認証情報とにより所望の金額を出金することができる。
【００３９】
（カード会社サーバ１１１のハードウエア構成の一例）
つぎに、カード会社サーバ１１１について、その具体的な構成の一例を説明する。図２Ａは、カード会社サーバ１１１のハードウエア構成の一例を示すブロック図である。図２Ａにおいて、カード会社サーバ１１１を実現するコンピュータ装置は、ＣＰＵ２１１と、メモリ２１２と、通信ＩＦ（Ｉｎｔｅｒｆａｃｅ）２１３と、を備える。コンピュータ装置が備える各部２１１〜２１３は、バス２１０によってそれぞれ接続されている。ＣＰＵ２１１は、コンピュータ装置の全体の制御をつかさどる。
【００４０】
メモリ２１２は、ブートプログラムなどのプログラムや、各種のデータベースのデータなどを記憶する。また、メモリ２１２は、出金制御プログラムや各種データベースの一部のデータなど、本実施の形態の出金制御方法にかかる各種のプログラムやデータを記憶する。
【００４１】
また、メモリ２１２は、ＣＰＵ２１１のワークエリアとして使用される。メモリ２１２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）およびＨＤ（Ｈａｒｄ  Ｄｉｓｃ）などによって実現することができる。
【００４２】
通信ＩＦ２１３は、ネットワーク１４０に接続され、コンピュータ装置の内部と、第１国端末１２１や第２国端末１３１などの外部装置とのインタフェースをつかさどる。具体的には、通信ＩＦ２１３は、コンピュータ装置の内部と外部装置との間におけるデータの入出力を制御する。
【００４３】
（第１国端末１２１および第２国端末１３１のハードウエア構成の一例）
つぎに、第１国端末１２１および第２国端末１３１のハードウエア構成の一例を説明する。図２Ｂは、第１国端末１２１および第２国端末１３１のハードウエア構成の一例を示すブロック図である。なお、第１国端末１２１および第２国端末１３１は、いずれも同様の構成であるため、以下においては、第１国端末１２１について説明することとし、第２国端末１３１についての説明を省略することとする。
【００４４】
図２Ｂにおいて、第１国端末１２１は、ＣＰＵ２２１と、メモリ２２２と、出力デバイス２２３と、入力デバイス２２４と、通信ＩＦ２２５と、を備える。また、第１国端末１２１が備える各部２２１〜２２５は、バス２２０によってそれぞれ接続されている。
【００４５】
ＣＰＵ２２１は、第１国端末１２１の全体の制御をつかさどる。ＣＰＵ２２１は、メモリ２２２が記憶する各種のプログラムやデータを用いて、第１国端末１２１の全体の制御をつかさどる。メモリ２２２は、ハードディスクやフラッシュメモリなどによって実現することができる。
【００４６】
出力デバイス２２３は、たとえば、ディスプレイ、スピーカ、音声出力端子などを含む。ディスプレイは、操作内容や、ユーザに対する案内情報などを表示する。ディスプレイは、出金制御サービスにかかる各種の操作画面を表示する。ディスプレイは、たとえば、主に液晶ディスプレイや有機ＥＬ（Ｅｌｅｃｔｒｏ−Ｌｕｍｉｎｅｓｃｅｎｃｅ）ディスプレイなどによって実現することができる。
【００４７】
また、スピーカは、音声、アラーム音などを出力する。音声出力端子は、ヘッドフォーンなどを接続する端子であり、スピーカと同様に、音声、アラーム音などを接続されたヘッドフォーンなどに出力する。
【００４８】
入力デバイス２２４は、文字、数値、各種指示などの入力のためのキーを備え、データ入力をおこなう。入力デバイス２２４は、たとえば、タッチパネルやキーボードなどによって実現することができる。タッチパネルやキーボードなどによって実現される入力デバイス２２４は、当該入力デバイス２２４に対する入力操作に応じた信号をＣＰＵ２２１に対して出力する。
【００４９】
入力デバイス２２４をタッチパネルによって実現する場合、当該タッチパネルは、ディスプレイの表示面側に積層される。タッチパネルは、指やペンなどの筆記部材が接触したことを検出した場合に、タッチパネルに対する筆記部材の接触位置に応じた電気信号を出力する。タッチパネルは、たとえば抵抗膜方式や静電容量方式、音響パルス認識方式、超音波表面弾性波方式、赤外遮光方式、画像認識方式など公知の各種の方式のものを用いることができる。
【００５０】
また、入力デバイス２２４は、カメラを含む。カメラは、静止画や動画を撮像する。具体的には、たとえば、カメラは、ＣＰＵ２２１によって制御されて撮像対象を撮像し、画像データを生成したり、バーコードやＱＲコード（登録商標）といった二次元コードを撮影して入力したり、ＯＣＲ（Ｏｐｔｉｃａｌ  Ｃｈａｒａｃｔｅｒ  Ｒｅａｄｅｒ）機能を用いて撮影した文字をデータ化して入力することができる。
【００５１】
また、入力デバイス２２４は、マイクを含む。マイクは、アナログデータとして入力された話者の声をアナログ／デジタル変換し、デジタル形式の音声データを生成する。マイクを用いることにより、ユーザは、第１国端末１２１を介して、タッチパネルやキーボードを用いる代わりに、文字などの入力をおこなうことができる。
【００５２】
通信ＩＦ２２５は、第１国端末１２１の内部と、カード会社サーバ１１１や第２国端末１３１などの外部装置とのインタフェースをつかさどる。また、通信ＩＦ２２５は、電話回線網に接続され、音声通信に際して用いられることとしてもよい。
【００５３】
（各種ＤＢ１１２〜１１５の記憶内容）
つぎに、図３Ａ〜図３Ｄを用いて、図１に示したカード会社サーバ１１１が有する各種データベース（ＤＢ）１１２〜１１５の記憶内容について説明する。各種ＤＢ１１２〜１１５は、たとえば、メモリなどの記憶部により実現される。
【００５４】
図３Ａは、カード情報データベース（ＤＢ）１１２の記憶内容の一例を示す説明図である。図３Ａにおいて、カード情報ＤＢ１１２は、ユーザＩＤ（Ｉｄｅｎｔｉｆｉｃａｔｉｏｎ）、氏名、住所、カード番号、カード限度額、キャッシング限度額、有効期限、および有効／無効のフィールドを有する。各フィールドに情報を設定することで、カード情報（たとえば、カード情報３００−１〜３００−３）のレコードが記憶される。
【００５５】
ユーザＩＤは、利用者１２０ごとに付される識別情報を示す。氏名は、クレジットカードの名義人の氏名を示し、具体的には、利用者１２０の氏名を示す。住所は、カード名義人の住所を示す。カード番号は、クレジットカードの識別番号である。カード限度額は、利用者１２０が月々にクレジットカードによって商品を購入することのできる、上限の金額を示す。
【００５６】
キャッシング限度額は、利用者１２０がカード会社から借り入れることのできる上限の金額を示す。有効期限は、クレジットカードが利用できる期限を示す。有効／無効は、クレジットカードが利用可能な状態であるか否かを示し、紛失等の届け出があった場合や、有効期限の経過により、無効となる。
【００５７】
たとえば、カード情報３００−１は、ユーザＩＤ「Ｕ００１」、氏名「総研総太郎」、住所「東京都…」、カード番号「１２３４…」、カード限度額「５０万円」、キャッシング限度額「１００万円」、有効期限「２０２１年９月」、有効／無効「有効」を示す。また、カード情報３００−１以外のカード情報３００−２，３００−３についても、同様に、カード情報ＤＢ１１２に記憶される。
【００５８】
なお、カード情報ＤＢ１１２において、利用者１２０の電話番号、メールアドレス、利用履歴などの各フィールドを有し、各フィールドに対応する情報が設定されることとしてもよい。
【００５９】
図３Ｂは、利用者識別情報データベース（ＤＢ）１１３の記憶内容の一例を示す説明図である。図３Ｂにおいて、利用者識別情報ＤＢ１１３は、ユーザＩＤ、パスポートの情報、認証情報、および有効／無効のフィールドを有する。各フィールドに情報を設定することで、利用者識別情報（たとえば、利用者識別情報３１０−１〜３１０−３）のレコードが記憶される。
【００６０】
ユーザＩＤは、利用者１２０ごとに付される識別情報を示し、カード情報ＤＢ１１２（図３Ａ参照）に記憶されるユーザＩＤと同一である。そのため、利用者識別情報３１０は、カード情報ＤＢ１１２のカード情報３００に対応する。パスポートの情報は、たとえば、パスポートごとに付される識別番号を示す。認証情報は、生体認証やパスワード認証などの情報である。また、有効／無効は、対応するパスポートの情報が有効であるか否かを示す。
【００６１】
たとえば、利用者識別情報３１０−１は、ユーザＩＤ「Ｕ００１」、パスポートの情報「ＸＳ０１２３４５６」、認証情報「データ○○」、有効／無効「有効」を示す。また、利用者識別情報３１０−１以外の利用者識別情報３１０−２，３１０−３についても、同様に、利用者識別情報ＤＢ１１３に記憶される。
【００６２】
図３Ｃは、変更利用者識別情報データベース（ＤＢ）１１４の記憶内容の一例を示す説明図である。図３Ｃにおいて、変更利用者識別情報ＤＢ１１４は、ユーザＩＤ、渡航書の情報、および認証情報のフィールドを有する。各フィールドに情報を設定することで、変更利用者識別情報（たとえば、変更利用者識別情報３２０−１〜３２０−３）のレコードが記憶される。
【００６３】
ユーザＩＤは、利用者１２０ごとに付される識別情報を示し、カード情報ＤＢ１１２（図３Ａ参照）や利用者識別情報ＤＢ１１３（図３Ｂ）に記憶されるユーザＩＤと同一である。そのため、変更利用者識別情報３２０は、カード情報ＤＢ１１２のカード情報３００や、利用者識別情報ＤＢ１１３の利用者識別情報３１０に対応する。
【００６４】
渡航書は、渡航先の所定の機関によって発行され、パスポートの代わりとなる証明書である。渡航書の情報は、渡航書ごとに付される識別番号を示し、パスポートの情報に対応付けられる番号である。変更利用者識別情報ＤＢ１１４に渡航書の情報が登録されると、利用者識別情報ＤＢ１１３（図３Ｂ参照）の対応する利用者識別情報３１０（パスポートの情報）の「有効／無効」のフィールドは、無効に設定される。
【００６５】
たとえば、変更利用者識別情報３２０−１は、ユーザＩＤ「Ｕ００１」、渡航書の情報「ＴＤ２３４５６７８」、認証情報「データ○○」を示す。変更利用者識別情報ＤＢ１１４において、変更利用者識別情報３２０−１が登録されると、利用者識別情報ＤＢ１１３（図３Ｂ参照）の利用者識別情報３１０−１の「有効／無効」のフィールドは、無効に設定される。パスポートの情報が渡航書の情報に書き換えられた変更利用者識別情報３２０−１以外の変更利用者識別情報３２０−２，３２０−３についても、同様に、変更利用者識別情報ＤＢ１１４に記憶される。
【００６６】
図３Ｄは、渡航情報データベース（ＤＢ）１１５の記憶内容の一例を示す説明図である。図３Ｄにおいて、渡航情報ＤＢ１１５は、ユーザＩＤ、渡航先、滞在期間、上限金額、入国有無、出国有無、および出金可否のフィールドを有する。各フィールドに情報を設定することで、渡航情報（たとえば、渡航情報３３０−１〜３３０−３）のレコードが記憶される。
【００６７】
ユーザＩＤは、利用者１２０ごとに付される識別情報を示し、カード情報ＤＢ１１２（図３Ａ参照）や利用者識別情報ＤＢ１１３（図３Ｂ）や変更利用者識別情報ＤＢ１１４（図３Ｃ）に記憶されるユーザＩＤと同一である。そのため、渡航情報３３０は、カード情報ＤＢ１１２のカード情報３００や、利用者識別情報ＤＢ１１３の利用者識別情報３１０や、変更利用者識別情報ＤＢ１１４の変更利用者識別情報３２０に対応する。
【００６８】
渡航先は、利用者１２０が渡航する行き先を示す。滞在期間は、渡航先での滞在期間を示す。上限金額は、渡航先において出金可能な上限額を示す。入国有無は、渡航先に入国したか否かを示す。出国有無は、渡航先から出国したか否かを示す。出金可否は、出金が可能な状態であるか否かを示す。
【００６９】
たとえば、渡航情報３３０−１は、ユーザＩＤ「Ｕ００１」、渡航先「韓国」、滞在期間「２０１７年８月１０〜１１日」、上限期間「￥１０万」、入国有無「あり」、出国有無「あり」、出金可否「不可」を示す。入国有無「あり」、および出国有無「あり」は、韓国に入国して出国した旨（滞在していない旨）を示していることから、出金可否が「不可」となる。
【００７０】
また、たとえば、渡航情報３３０−２は、ユーザＩＤ「Ｕ００１」、渡航先「ドバイ」、滞在期間「２０１７年８月１１〜１４日」、上限期間「￥３０万」、入国有無「あり」、出国有無「なし」、出金可否「可」を示す。入国有無「あり」、および出国有無「なし」は、ドバイに入国して出国していない旨（滞在している旨）を示していることから、出金可否が「可」となる。
【００７１】
たとえば、渡航情報３３０−３は、ユーザＩＤ「Ｕ００１」、渡航先「ヨルダン」、滞在期間「２０１７年８月１４〜１６日」、上限期間「￥１０万」、入国有無「なし」、出国有無「なし」、出金可否「不可」を示す。入国有無「なし」、および出国有無「なし」は、ヨルダンに未だ入国していない旨（滞在していない旨）を示していることから、出金可否が「不可」となる。
【００７２】
（カード会社サーバ１１１の機能的構成）
図４は、カード会社サーバ１１１の機能的構成を示す説明図である。図４において、カード会社サーバ１１１は、登録部４０１と、第１取得部４０２と、許可部４０３と、第２取得部４０４と、を備える。各部４０１〜４０４は、たとえば、カード会社サーバ１１１のメモリ２１２（図２Ａ参照）に記憶されたプログラムをＣＰＵ２１１に実行させることにより、その機能を実現する。
【００７３】
登録部４０１は、あらかじめ利用者１２０ごとに、出金情報を登録する。出金情報は、利用者識別情報および現金の入手先に関する情報を含む。利用者識別情報は、パスポートの情報と、当該パスポートの情報に対応付けられる認証情報とを含む。パスポートの情報は、パスポートごとに固有の情報であり、たとえば、パスポート番号である。ただし、パスポートの情報は、パスポート番号のみではなく、セキュリティ上の観点からすると、パスポートに内蔵されるＩＣ（Ｉｎｔｅｇｒａｔｅｄ  Ｃｉｒｃｕｉｔ）チップに記憶される情報（たとえば、顔の画像情報）などを含むことが望ましい。
【００７４】
認証情報は、生体認証やパスワード認証などの情報である。生体認証は、顔認証や、指紋認証や、血管認証や、網膜認証や、掌形認証などである。パスワード認証は、所定の文字列の一致判定をおこなうことによる認証である。また、現金の入手先に関する情報は、たとえば、現金の借入先の情報や引出先の情報であり、具体的には、カード会社１１０や銀行などの金融機関の情報である。
【００７５】
登録部４０１は、所定の端末装置を介して取得した出金情報を登録する。所定の端末装置は、渡航前の第１国における所定の店舗に設けられるＰＣであり、たとえば、第１国端末１２１である。
【００７６】
第１取得部４０２は、利用者１２０から提示される提示情報を取得する。提示情報は、パスポートの情報と認証情報とを含む。第１取得部４０２は、所定の端末装置を介して、提示情報を取得する。所定の端末装置は、渡航先の第２国における所定の店舗に設けられるＰＣであり、たとえば、第２国端末１３１である。
【００７７】
許可部４０３は、第１取得部４０２によって取得された提示情報と、登録部４０１に登録された利用者識別情報と、を用いた認証をおこなう。具体的には、許可部４０３は、提示情報に含まれるパスポートの情報とこれに対応する認証情報とが、あらかじめ登録部４０１に登録された、パスポートの情報とこれに対応する認証情報とに一致するか否かの認証をおこなう。
【００７８】
許可部４０３は、認証結果に応じて、登録部４０１に登録された現金の入手先から、利用者１２０が所望する金額の出金を許可する。許可部４０３は、認証に成功すると、たとえば、クレジットカードのキャッシングの範囲内や、利用者１２０の銀行口座に預けている金額の範囲内で、所望の金額の出金を許可する。銀行は、利用者１２０が渡航先において利用できる銀行である。出金する通貨は、提示情報が提示された国の通貨である。
【００７９】
許可部４０３による出金を許可する際に、第２国端末１３１が設けられる所定の店舗において店舗スタッフが目視等によりパスポートが本物であるか否かの確認を要することとしてもよい。具体的には、カード会社サーバ１１１が店舗スタッフからの確認を受け付けるようにし、許可部４０３は、認証に成功した場合でも、確認を受け付けた場合に出金を許可することとしてもよい。
【００８０】
また、本実施の形態において、現金の入手先に関する情報は、所定のカードに対応する入手先に関する情報を含む。所定のカードは、たとえば、カード会社１１０のクレジットカードや、銀行のキャッシュカードである。所定のカードに対応する入手先に関する情報は、たとえば、クレジットカードに対応するカード会社１１０からのキャッシングの情報や、キャッシュカードに対応する銀行口座の預金の情報である。
【００８１】
第１取得部４０２は、利用者１２０が有する所定のカードのカード情報を取得する。カード情報は、クレジットカードのカード番号や、キャッシュカードのカード番号である。許可部４０３は、上述した認証結果に応じて、または、第１取得部４０２によって取得されたカード情報に応じて、所望の金額の出金を許可する。
【００８２】
これにより、利用者１２０は、所定のカードを用いて現金を入手することもできるし、パスポートの情報および認証情報を用いて現金を入手することもできる。
【００８３】
また、本実施の形態において、許可部４０３は、所定のカードの利用が可能な状態である場合に、認証結果に応じた出金を許可しないこととする。一方で、許可部４０３は、所定のカードの利用が不可能な状態である場合に、認証結果に応じた出金を許可する。
【００８４】
所定のカードの利用が可能な状態とは、クレジットカードのキャッシングが利用可能な状態や、キャッシュカードによる現金の引き出しが可能な状態であり、たとえば、平常時である。所定のカードの利用が可能な状態は、具体的には、カード情報ＤＢ１１２（図３Ａ）において「有効」と設定された状態である。
【００８５】
一方で、所定のカードの利用が不可能な状態である場合とは、所定のカードが盗難されたり、破損したりした場合であり、たとえば、異常時や緊急時である。所定のカードの利用が不可能な状態である場合は、具体的には、カード情報ＤＢ１１２（図３Ａ）において「無効」と設定された状態である。たとえば、カード会社サーバ１１１は、利用者１２０から所定のカードを紛失した旨の通知を受けた場合に、所定のカードの利用が可能を不可能（無効）とし、認証結果に応じた出金を不可能とする。
【００８６】
第２取得部４０４は、渡航先の所定の機関によって発行され、パスポートの代わりとなる渡航書の情報を取得する。所定の機関は、たとえば、大使館、領事館、入国管理局などの機関である。渡航書は、パスポートの紛失時などに発行され、パスポートの代わりとなる証明書である。渡航書の情報は、紛失したパスポートの情報に対応付けられた情報である。渡航書の情報は、渡航書ごとに固有の情報であり、たとえば、渡航書番号である。第２取得部４０４は、所定の端末装置（たとえば第２国端末１３１）を介して、提示情報を取得する。
【００８７】
登録部４０１は、あらかじめ登録したパスポートの情報のうち、第２取得部４０４によって取得された渡航書の情報に対応するパスポートの情報を、渡航書の情報に書き換えて利用者識別情報を登録する。登録部４０１は、渡航書の情報を登録すると、パスポートの情報については無効とし、具体的には、利用者識別情報ＤＢ１１３（図３Ｂ参照）の利用者識別情報３１０が「無効」に設定される。
【００８８】
第１取得部４０２は、利用者１２０から提示される渡航書の情報と、認証情報とを含む提示情報を取得する。許可部４０３は、提示情報に含まれる渡航書の情報および認証情報と、利用者識別情報に含まれる渡航書の情報および認証情報とを用いた認証をおこなう。具体的には、許可部４０３は、提示情報に含まれる渡航書の情報とこれに対応する認証情報とが、登録部４０１に登録された、渡航書の情報とこれに対応する認証情報とに一致するか否かの認証をおこなう。
【００８９】
ここで、許可部４０３は、第１国（自国：日本国）においても、認証結果に応じた出金を許可することが可能であるが、第２国（渡航先：外国）において、認証結果に応じた出金を許可することが可能である。これについて、具体的に説明する。
【００９０】
登録部４０１は、利用者１２０が指定した渡航先を示す情報を登録する。渡航先を示す情報は、たとえば、渡航先の都市や国名を示す情報である。登録部４０１は、たとえば、渡航先（第２国）に渡航する前の国（第１国）で、出金情報を登録可能とする。ここで、第１国は、自国ではない国とすることも可能である。具体的には、たとえば、登録部４０１は、日本人が韓国からドバイに渡航する場合に、韓国において、ドバイにおける出金情報を登録可能とする。
【００９１】
第１取得部４０２は、利用者１２０の所在地を示す情報を取得する。利用者１２０の所在地を示す情報は、利用者１２０によって提示情報が提示された場所である。また、提示情報が提示された場所は、たとえば、第２国端末１３１が設けられる場所（国）である。また、利用者１２０の所在地を示す情報は、たとえば、渡航先に入国した旨の情報としてもよい。
【００９２】
渡航先に入国した旨の情報は、たとえば、入国審査において入国が認められた場合に入国管理局の端末装置から取得されるものとしてもよい。なお、第２国端末１３１を利用者１２０が有するスマートフォンとした場合には、利用者１２０の所在地を示す情報は、スマートフォンの位置情報としてもよい。
【００９３】
許可部４０３は、利用者１２０の所在地が、登録された渡航先に該当する場合に、利用者１２０の所在地において認証結果に応じた出金を許可する。言い換えれば、許可部４０３は、利用者１２０の所在地が、登録された渡航先に該当しない場合（たとえば、登録されていない渡航先の場合）に、利用者１２０の所在地において認証結果に応じた出金を許可しないこととする。
【００９４】
また、本実施の形態において、登録部４０１は、渡航先ごとの上限の金額を示す情報を登録する。渡航先ごとの上限の金額とは、渡航先ごとに出金可能な上限の金額である。
【００９５】
第１取得部４０２は、出金額を示す情報を取得する。許可部４０３は、所望の出金額が渡航先ごとの上限の金額の範囲内である場合に、認証結果に応じた出金を許可する。たとえば、許可部４０３は、所望の出金額が渡航先ごとの上限の金額の範囲を超える場合には、出金を許可しないこととする。
【００９６】
また、本実施の形態において、登録部４０１は、渡航先の滞在期間を示す情報を登録する。また、登録部４０１は、提示情報が提示された日時を示す情報を取得する。提示情報が提示された日時は、具体的には、利用者１２０が所在地にいる日時である。
【００９７】
許可部４０３は、提示情報が提示された日時が滞在期間に該当する場合に、認証結果に応じた出金を許可する。言い換えれば、許可部４０３は、提示情報が提示された日時が、登録された滞在期間に該当しない場合（たとえば、滞在期間の開始前や滞在期間の経過後）に、渡航先において認証結果に応じた出金を許可しないこととする。
【００９８】
また、許可部４０３は、たとえば、利用者１２０の所在地が自国（第１国）の場合には、自国においては常時、認証結果に応じた出金を許可することとしてもよい。また、許可部４０３は、利用者１２０の所在地が自国の場合であっても、登録された渡航先（第２国）の滞在期間に該当する場合には、自国において認証結果に応じた出金を許可しないこととしてもよい。また、許可部４０３は、第１取得部４０２によって渡航先（第２国）に入国した旨の情報が取得された場合に、自国において認証結果に応じた出金を許可しないこととしてもよい。
【００９９】
また、本実施の形態において、第１取得部４０２は、渡航先から利用者１２０が出国した旨の出国情報を取得する。出国情報は、利用者１２０の申告に基づいて第２国端末１３１によって取得される。ただし、出国情報は、たとえば、入国審査において出国が認められた場合に入国管理局の端末装置によって取得されるものとしてもよい。
【０１００】
また、たとえば、利用者１２０が有するスマートフォンにより、出国が認められた旨の情報を読取機能等により取得できる場合には、出国情報は、当該スマートフォンによって取得されるものとしてもよい。また、出国情報は、利用者１２０が有するスマートフォンの位置情報に基づいて当該スマートフォンによって取得されるものとしてもよい。
【０１０１】
許可部４０３は、第１取得部４０２によって出国情報が取得された場合、渡航先において認証結果に応じた出金を許可しないこととする。具体的には、許可部４０３は、登録部４０１に登録された情報にかかわらず、出金を許可しないこととしてもよいし、第１取得部４０２によって取得された出国情報に応じて登録部４０１に登録される渡航先の滞在期間を示す情報が変更されることにより、出金を許可しないこととしてもよい。
【０１０２】
（第１国端末１２１および第２国端末１３１の表示画面の一例）
つぎに、図５Ａ〜図６Ｃを用いて、第１国端末１２１および第２国端末１３１の表示画面の一例について説明する。図５Ａは、第１国端末１２１に表示される出金情報受付画面の一例を示す説明図である。図５Ａの出金情報受付画面５００は、パスポート欄５０１と、認証選択欄５０２と、渡航先欄５０３と、登録ボタン５０４と、を示す。
【０１０３】
パスポート欄５０１には、パスポートの情報が入力される。認証選択欄５０２は、表示した複数の認証方法の中から一または複数の認証方法の選択を受け付ける。認証方法が選択されると、不図示であるが、認証に用いられる顔画像の情報やパスワードなどの登録がおこなわれる。
【０１０４】
渡航先欄５０３には、渡航先ごとに行き先の国名と、滞在期間と、上限金額とが入力される。登録ボタン５０４は、出金情報受付画面５００の各欄５０１〜５０３の内容で登録することを示す確認用のボタンである。登録ボタン５０４が選択されると、各欄５０１〜５０３の内容がカード会社サーバ１１１に送信されて、カード会社サーバ１１１において各欄５０１〜５０３の内容が出金情報として登録される。
【０１０５】
図５Ｂは、第２国端末１３１に表示される利用者識別情報変更画面の一例を示す説明図である。図５Ｂの利用者識別情報変更画面５１０は、パスポート欄５１１と、渡航書欄５１２と、認証選択欄５１３と、変更ボタン５１４と、を示す。
【０１０６】
パスポート欄５１１には、パスポートの情報が入力される。渡航書欄５１２には、渡航書の情報が入力される。認証選択欄５１３は、複数の認証方法の中から一または複数の認証方法の選択を受け付けるとともに、選択された認証方法により認証をおこなうための認証情報の入力を受け付ける。変更ボタン５１４は、利用者識別情報変更画面５１０のパスポート欄５１１のパスポートの情報に代えて、渡航書欄５１２の渡航書の情報に変更することを示す確認用のボタンである。
【０１０７】
変更ボタン５１４が選択され、認証に成功すると、各欄５１１〜５１３の内容がカード会社サーバ１１１に送信される。この送信を受けて、カード会社サーバ１１１は、パスポートの情報に代えて、渡航書の情報を認証情報に対応付けて登録する。
【０１０８】
図６Ａは、第２国端末１３１に表示される提示情報入力画面の一例を示す説明図である。図６Ａの提示情報入力画面６００は、パスポート欄６０１、認証選択欄６０２と、金額欄６０３と、出金ボタン６０４と、を示す。
【０１０９】
パスポート欄６０１には、パスポートの情報が入力される。なお、パスポートの情報に代えて渡航書の情報が認証情報に対応付けられて登録されている場合には、パスポート欄６０１または不図示の渡航書欄を設けて、渡航書の情報の入力を受け付けることとすればよい。
【０１１０】
認証選択欄６０２は、表示した複数の認証方法の中から一または複数の認証方法の選択を受け付けるとともに、選択された認証方法により認証をおこなうための認証情報の入力を受け付ける。金額欄６０３は、利用者１２０が所望する出金額の入力を受け付ける。出金ボタン６０４は、提示情報入力画面６００の各欄６０１〜６０３の内容で出金の要求をおこなうことを示す確認用のボタンである。
【０１１１】
出金ボタン６０４が選択されると、各欄６０１〜６０３の内容がカード会社サーバ１１１に送信される。なお、この送信時には、利用者１２０の所在地を示す情報として、第２国端末１３１が設置されている国の情報（図示では「ドバイ」を示す情報）や、提示情報が提示された日時の情報としての送信時刻の情報も送信される。
【０１１２】
この送信を受けて、カード会社サーバ１１１は、パスポートの情報および認証情報を用いた認証をおこなうとともに、金額欄６０３に入力された金額の出金が可能であるか否を判定する。この判定の結果、出金が可能であれば、図６Ｂに示す出金可能画面６１０に遷移し、出金が不可能であれば、図６Ｃに示す出金エラー画面６２０に遷移する。
【０１１３】
図６Ｂは、第２国端末１３１に表示される出金可能画面の一例を示す説明図である。図６Ｂの出金可能画面６１０は、出金を許可する旨の通知を示す。具体的には、出金可能画面６１０は、利用者１２０が所望する額の出金が許可された旨を示す。これにより、利用者１２０は、カード会社１１０等の所定の入手先から、キャッシング等により所望の額の現金を入手することができる。
【０１１４】
利用者１２０は、第２国端末１３１が設けられる所定の店舗の窓口から現金を入手することができる。ただし、第２国端末１３１をＡＴＭとした場合には、ＡＴＭの現金払出口から、現金を入手することができる。
【０１１５】
図６Ｃは、第２国端末１３１に表示される出金エラー画面の一例を示す説明図である。図６Ｃの出金エラー画面６２０は、出金不可通知６２１と、コード説明欄６２２とを示す。出金不可通知６２１は、出金が認められない旨の通知を示す。また、出金不可通知６２１は、出金が認められない理由であるエラーコードを示す。
【０１１６】
コード説明欄６２２は、エラーコードの説明を示す。たとえば、エラーコード「Ｅ１」は、認証のエラーを示し、たとえば、パスポートの情報および認証情報を用いた認証に失敗したことを示す。また、エラーコード「Ｅ２」は、滞在先のエラーを示し、たとえば、渡航先が登録されていない場合や渡航期間が一致しないことを示す。
【０１１７】
また、エラーコード「Ｅ３」は、上限金額のエラーを示し、たとえば、利用者１２０が所望する金額が、登録されている上限金額を超えていることを示す。このような通知により、利用者１２０は、該当するエラーの箇所について、再度入力することにより、現金を入手することが可能である。
【０１１８】
（第１国端末１２１がおこなう出金情報受付処理手順の一例）
つぎに、図７を用いて、第１国端末１２１がおこなう処理手順の一例について説明する。図７は、第１国端末１２１がおこなう出金情報受付処理手順の一例を示すフローチャートである。
【０１１９】
図７において、第１国端末１２１は、出金情報の登録開始を受け付けたか否かを判断する（ステップＳ７０１）。第１国端末１２１は、出金情報の登録開始を受け付けるまで待つ（ステップＳ７０１：Ｎｏ）。第１国端末１２１は、出金情報の登録開始を受け付けると（ステップＳ７０１：Ｙｅｓ）、パスポートの情報を受け付ける（ステップＳ７０２）。
【０１２０】
第１国端末１２１は、たとえば、図５Ａのパスポート欄５０１からパスポートの情報を受け付ける。そして、第１国端末１２１は、出金時におこなう認証方法および認証情報を受け付ける（ステップＳ７０３）。第１国端末１２１は、たとえば、図５Ａの認証選択欄５０２から認証方法および認証情報を受け付ける。
【０１２１】
つぎに、第１国端末１２１は、渡航先の国名や滞在期間などの渡航先の情報を受け付ける（ステップＳ７０４）。そして、第１国端末１２１は、渡航先ごとに出金可能な上限の金額を受け付ける（ステップＳ７０５）。第１国端末１２１は、たとえば、図５Ａの渡航先欄５０３から渡航先の情報および上限の金額を受け付ける。
【０１２２】
そして、第１国端末１２１は、受付が完了したか否かを判断する（ステップＳ７０６）。受付が完了したか否かは、たとえば、図５Ａの登録ボタン５０４が選択されたか否かに相当する。第１国端末１２１は、受付完了ではない場合（ステップＳ７０６：Ｎｏ）、ステップＳ７０２に戻り、各種情報を受け付ける。第１国端末１２１は、受付完了である場合（ステップＳ７０６：Ｙｅｓ）、受け付けた情報をカード会社サーバ１１１へ送信し（ステップＳ７０７）、本フローチャートによる一連の処理を終了する。
【０１２３】
上述した処理により、第１国端末１２１は、利用者１２０が渡航する前の第１国において、渡航先（第２国）において出金するための出金情報を利用者１２０から受け付けることができるとともに、受け付けた出金情報をカード会社サーバ１１１に登録させることができる。
【０１２４】
（カード会社サーバ１１１がおこなう登録処理手順の一例）
つぎに、図８を用いて、カード会社サーバ１１１がおこなう処理手順の一例について説明する。図８は、カード会社サーバ１１１がおこなう登録処理手順の一例を示すフローチャートである。図８において、カード会社サーバ１１１は、第１国端末１２１または第２国端末１３１から登録に関する情報を受信したか否かを判断する（ステップＳ８０１）。登録に関する情報とは、渡航前における登録用の各種情報や、渡航後における渡航書への変更を受け付ける情報や、出国した旨を示す出国情報である。
【０１２５】
カード会社サーバ１１１は、登録に関する情報を受信するまで待機する（ステップＳ８０１：Ｎｏ）。カード会社サーバ１１１は、登録に関する情報を受信すると（ステップＳ８０１：Ｙｅｓ）、受信した登録に関する情報が渡航前の出金情報（図７において受け付けた各種情報）であるか否かを判断する（ステップＳ８０２）。
【０１２６】
カード会社サーバ１１１は、受信した登録に関する情報が渡航前の出金情報である場合（ステップＳ８０２：Ｙｅｓ）、利用者識別情報ＤＢ１１３（図３Ｂ参照）や渡航情報ＤＢ１１５（図３Ｄ参照）に、受信した出金情報を登録する（ステップＳ８０３）。カード会社サーバ１１１は、受信した登録に関する情報が渡航前の出金情報ではない場合（ステップＳ８０２：Ｎｏ）、受信した登録に関する情報が、パスポートの情報を渡航書の情報へ変更する変更情報であるか否かを判断する（ステップＳ８０４）。
【０１２７】
カード会社サーバ１１１は、受信した登録に関する情報が渡航書の情報へ変更する変更情報である場合（ステップＳ８０４：Ｙｅｓ）、変更利用者識別情報ＤＢ１１４（図３Ｃ参照）に示すように、パスポートの情報に代えて渡航書の情報を登録する（ステップＳ８０５）。
【０１２８】
カード会社サーバ１１１は、受信した登録に関する情報が渡航書の情報へ変更する変更情報ではない場合（ステップＳ８０４：Ｎｏ）、すなわち、受信した登録に関する情報が出国した旨を示す出国情報である場合、渡航情報ＤＢ１１５（図３Ｄ参照）の出金可否フィールドの出金を「不可」に設定し（ステップＳ８０６）、本フローチャートによる一連の処理を終了する。
【０１２９】
上述した処理により、カード会社サーバ１１１は、各種ＤＢ１１３〜１１５（図３Ｂ〜３Ｄ参照）に、各種情報の登録および変更をおこなうことができる。
【０１３０】
（第２国端末１３１がおこなう出金手続受付理手順の一例）
つぎに、図９を用いて、第２国端末１３１がおこなう処理手順の一例について説明する。図９は、第２国端末１３１がおこなう出金手続処理手順の一例を示すフローチャートである。図９において、第２国端末１３１は、出金手続の開始を受け付けたか否かを判断する（ステップＳ９０１）。第２国端末１３１は、出金手続の開始を受け付けるまで待つ（ステップＳ９０１：Ｎｏ）。第２国端末１３１は、出金手続の開始を受け付けると（ステップＳ９０１：Ｙｅｓ）、パスポートの情報を受け付ける（ステップＳ９０２）。
【０１３１】
第２国端末１３１は、たとえば、図６Ａのパスポート欄６０１からパスポートの情報を受け付ける。そして、第２国端末１３１は、認証方法および認証情報を受け付ける（ステップＳ９０３）。第２国端末１３１は、たとえば、図６Ａの認証選択欄６０２からパスポートの情報を受け付ける。
【０１３２】
つぎに、第２国端末１３１は、所在地の情報（第２国端末１３１が設けられる国の情報）を取得する（ステップＳ９０４）。そして、第２国端末１３１は、所望の出金額を受け付ける（ステップＳ９０５）。第２国端末１３１は、たとえば、図６Ａの金額欄６０３から出金額を受け付ける。
【０１３３】
そして、第２国端末１３１は、受付が完了したか否かを判断する（ステップＳ９０６）。受付が完了したか否かは、たとえば、図６Ａの出金ボタン６０４が選択されたか否かに相当する。第２国端末１３１は、受付完了ではない場合（ステップＳ９０６：Ｎｏ）、ステップＳ９０２に戻り、各種情報を受け付ける。第２国端末１３１は、受付完了である場合（ステップＳ９０６：Ｙｅｓ）、受け付けた出金手続に関する情報をカード会社サーバ１１１へ送信し（ステップＳ９０７）、本フローチャートによる一連の処理を終了する。
【０１３４】
上述した処理により、第２国端末１３１は、渡航先（第２国）において出金手続に関する情報を受け付けることができるとともに、受け付けた出金手続に関する情報をカード会社サーバ１１１に送信することができる。
【０１３５】
（カード会社サーバ１１１がおこなう出金判定処理手順の一例）
図１０は、カード会社サーバ１１１がおこなう出金判定処理手順の一例を示すフローチャートである。図１０において、カード会社サーバ１１１は、第２国端末１３１から出金手続に関する情報（図９において受け付けた情報）を受信したか否かを判断する（ステップＳ１００１）。
【０１３６】
カード会社サーバ１１１は、出金に関する情報を受信するまで待機する（ステップＳ１００１：Ｎｏ）。カード会社サーバ１１１は、出金に関する情報を受信すると（ステップＳ１００１：Ｙｅｓ）、利用者識別情報ＤＢ１１３（図３Ｂ参照）に登録されているパスポートの情報および認証情報を参照する（ステップＳ１００２）。
【０１３７】
そして、カード会社サーバ１１１は、出金に関する情報に含まれるパスポートの情報および認証情報を用いて、認証に成功したか否かを判断する（ステップＳ１００３）。カード会社サーバ１１１は、認証に失敗した場合（ステップＳ１００３：Ｎｏ）、エラーメッセージを送信して（ステップＳ１００４）、本フローチャートによる一連の処理を終了する。
【０１３８】
カード会社サーバ１１１は、認証に成功した場合（ステップＳ１００３：Ｙｅｓ）、渡航情報ＤＢ１１５（図３Ｄ参照）を参照し、現在日時における渡航先を特定する（ステップＳ１００５）。
【０１３９】
カード会社サーバ１１１は、出金に関する情報に含まれる所在地の情報を用いて、特定した渡航先と利用者１２０の所在地が一致するか否かを判断する（ステップＳ１００６）。そして、カード会社サーバ１１１は、渡航先と利用者１２０の所在地が一致しない場合（ステップＳ１００６：Ｎｏ）、ステップＳ１００４に移行する。
【０１４０】
カード会社サーバ１１１は、渡航先と利用者１２０の所在地が一致する場合（ステップＳ１００６：Ｙｅｓ）、渡航情報ＤＢ１１５（図３Ｄ参照）を参照し、渡航先の上限金額を特定する（ステップＳ１００７）。そして、カード会社サーバ１１１は、出金に関する情報に含まれる出金額を示す情報を用いて、所望の出金額が上限金額の範囲内であるか否かを判断する（ステップＳ１００８）。
【０１４１】
カード会社サーバ１１１は、所望の出金額が上限金額の範囲内である場合（ステップＳ１００８：Ｙｅｓ）、出金を許可し（ステップＳ１００９）、本フローチャートによる一連の処理を終了する。カード会社サーバ１１１は、所望の出金額が上限金額の範囲内でない場合（ステップＳ１００８：Ｎｏ）、ステップＳ１００４に移行する。
【０１４２】
上述した処理により、カード会社サーバ１１１は、渡航先（第２国）において、第１国であらかじめ登録した上限の範囲内で出金を許可することができる。
【０１４３】
以上説明したように、本実施の形態にかかるカード会社サーバ１１１は、あらかじめ登録したパスポートの情報と認証情報とを用いた認証を行って、認証に成功すると、あらかじめ登録した現金の入手先から所望の金額の出金を許可することとした。これにより、カード会社サーバ１１１によれば、パスポートの情報と認証情報とにより所望の金額を出金することができる。したがって、利用者１２０は、所定のカードや通帳等を所持していなくても、知人等に頼らずに利用者１２０が１人で、迅速且つ簡単に現金を入手することができる。
【０１４４】
特に、利用者１２０は、たとえば財布（各種カードを収納）については衣服のポケットなど取り出しやすい場所に保管していることから、海外の治安の悪い地域では、盗難被害に遭いやすい。一方で、利用者１２０は、パスポートについては細心の注意を払っていることから、財布に比べると盗難被害に遭いにくい。このため、本実施の形態では、利用者１２０は、財布が盗難被害に遭った場合でも、盗難被害に遭いにくいパスポートの情報を用いて迅速且つ簡単に現金を入手することができる。
【０１４５】
また、本実施の形態にかかるカード会社サーバ１１１は、認証結果に応じて出金を許可することのほかにも、利用者１２０が有する所定のカードのカード情報に応じて出金を許可することとした。したがって、カード会社サーバ１１１によれば、所定のカードを提示することによっても所望の金額を出金することができる。
【０１４６】
これにより、利用者１２０は、所定のカードを用いて現金を入手することもできるし、パスポートの情報および認証情報を用いて、現金を入手することもできる。また、利用者１２０は、現金を入手する際にいちいちパスポートを取り出して提示する必要がないため、パスポートの収納場所を第三者に知られる機会を抑えることができ、パスポートの盗難を抑えることができる。
【０１４７】
また、本実施の形態にかかるカード会社サーバ１１１は、所定のカードの利用が可能な状態である場合に認証結果に応じた出金を許可しないこととし、所定のカードの利用が不可能な状態である場合に認証結果に応じた出金を許可することとした。これにより、カード会社サーバ１１１によれば、所定のカードが盗難、紛失、破損など利用不可能な緊急時に限って、パスポートの情報と認証情報とにより所望の金額を出金することができる。これにより、利用者１２０は、所定のカードを利用することができない緊急時に、迅速且つ簡単に現金を入手することができる。
【０１４８】
また、本実施の形態にかかるカード会社サーバ１１１は、パスポートの情報を渡航書の情報に代えた利用者識別情報を登録できることとした。したがって、カード会社サーバ１１１によれば、渡航先において、パスポートを紛失した場合など、パスポートの情報を得ることができない、渡航書の情報と認証情報とにより所望の金額を出金することができる。これにより、利用者１２０は、たとえば、盗難被害などに遭いやすい治安の悪い渡航先において、万が一、盗難被害などによりパスポートを紛失した場合でも、現金を迅速且つ簡単に入手することができる。
【０１４９】
また、本実施の形態にかかるカード会社サーバ１１１は、利用者１２０の所在地があらかじめ登録した渡航先に該当する場合に、渡航先において認証結果に応じた出金を許可することとした。したがって、カード会社サーバ１１１によれば、あらかじめ登録した渡航先において、パスポートの情報と認証情報とにより所望の金額を出金することができる。これにより、利用者１２０は、渡航先において、所定のカードや通帳等を所持していなくても、迅速且つ簡単に現金を入手できる。
【０１５０】
一方で、カード会社サーバ１１１は、利用者１２０の所在地があらかじめ登録した渡航先に該当しない場合には、認証結果に応じた出金を許可しないこととした。したがって、カード会社サーバ１１１によれば、あらかじめ登録した渡航先以外では出金を許可しないようにすることができる。これにより、あらかじめ登録した渡航先を除いた場所で、パスポート（パスポートの情報）や認証情報が盗まれたとしても、第三者による不正な出金を抑制することができる。
【０１５１】
また、本実施の形態にかかるカード会社サーバ１１１は、あらかじめ登録した渡航先ごとの上限の金額の範囲内で、認証結果に応じた出金を許可することとした。これにより、利用者１２０は、渡航先ごとに、渡航先の治安に応じた上限の金額や、渡航先の物価に応じた上限の金額を登録して、渡航先の治安や渡航先の物価に応じた現金を入手することができる。また、万が一、あらかじめ登録した渡航先において、パスポートの情報や認証情報が盗まれたとしても、当該渡航先における被害金額を最小限に（被害場所における上限の金額に）に抑えることができる。
【０１５２】
また、本実施の形態にかかるカード会社サーバ１１１は、提示情報が提示された日時（利用者１２０が所在地にいる日時）があらかじめ登録した滞在期間に該当する場合に、認証結果に応じた出金を許可することとした。このため、カード会社サーバ１１１によれば、あらかじめ登録した渡航先の滞在期間に、パスポートの情報と認証情報とにより所望の金額を出金することができる。これにより、利用者１２０は、あらかじめ登録した渡航先の滞在期間において、所定のカードや通帳等を所持していなくても、渡航先で現金を迅速且つ簡単に入手できる。
【０１５３】
一方で、カード会社サーバ１１１は、提示情報が提示された日時があらかじめ登録した滞在期間に該当しない場合に、認証結果に応じた出金を許可しないこととした。したがって、カード会社サーバ１１１によれば、あらかじめ登録した渡航先であったとしても、あらかじめ登録した渡航先の滞在期間以外の期間では、出金を許可しないようにすることができる。これにより、あらかじめ登録した渡航先で、パスポートの情報や認証情報が盗まれたとしても、当該渡航先で第三者による不正な出金を抑制することができる。
【０１５４】
また、本実施の形態にかかるカード会社サーバ１１１は、利用者１２０が渡航先から出国した旨の出国情報を取得した場合、渡航先において認証結果に応じた出金を許可しないこととした。したがって、カード会社サーバ１１１によれば、あらかじめ登録した渡航先の滞在期間であったとしても、利用者１２０が出国した後は、出金を許可しないようにすることができる。これにより、あらかじめ登録した渡航先の滞在期間を除いた期間にパスポート（パスポートの情報）や認証情報が渡航先で盗まれたとしても、当該渡航先で第三者による不正な出金を抑制することができる。
【０１５５】
また、本実施の形態では、日本人が外国に渡航する場合を例に挙げて説明したが、これに限らず、外国人が日本に来る場合についても同様にこの発明を適用することができる。具体的には、たとえば、外国人が日本に入国する前に、カード会社サーバ１１１に、パスポートの情報、認証情報、現金の入手先の情報などの出金情報をあらかじめ登録しておけばよい。
【０１５６】
そして、当該外国人が、日本において現金が必要になった場合に、あらかじめ登録したパスポートの情報と認証情報とを用いた認証を行って、認証に成功すると、あらかじめ登録した現金の入手先から所望の金額の出金を許可することとすればよい。これにより、外国人が日本に来る場合においても、当該外国人は、所定のカードや通帳等を所持していなくても、知人等に頼らずに当該外国が１人で、日本において迅速且つ簡単に現金を入手することができる。
【０１５７】
また、この発明の出金制御装置を、カード会社１１０のカード会社サーバ１１１に適用した場合について説明したが、これに限らない。たとえば、銀行のサーバによっても、この発明の出金制御装置を実現することも可能である。また、クレジットカードのＡＰＩ（Ａｐｐｌｉｃａｔｉｏｎ  Ｐｒｏｇｒａｍｍｉｎｇ  Ｉｎｔｅｒｆａｃｅ）を用いて、異業種間でも各種情報を共有することが可能となる場合には、カード会社１１０以外の他のサーバ（たとえば、保険会社のサーバ）によっても、この発明の出金制御装置を実現することも可能である。
【０１５８】
なお、本実施の形態で説明した出金制御方法は、あらかじめ用意されたプログラムをパーソナル・コンピュータやワークステーション等のコンピュータで実行することにより実現することができる。
【０１５９】
出金制御プログラムは、ハードディスク、フレキシブルディスク、ＣＤ（Ｃｏｍｐａｃｔ  Ｄｉｓｃ）−ＲＯＭ（Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記憶媒体に記憶され、コンピュータによって記憶媒体から読み出されることによって実行される。また、出金制御プログラムは、インターネット等のネットワークを介して配布してもよい。
【産業上の利用可能性】
【０１６０】
以上のように、この発明にかかる出金制御装置、出金制御方法、および出金制御プログラムは、出金を制御する、出金制御装置、出金制御方法、および出金制御プログラムに有用であり、特に、利用者が所定のカードや通帳等を所持していなくても出金できる、出金制御装置、出金制御方法、および出金制御プログラムに適している。
【符号の説明】
【０１６１】
１００  出金制御システム
１１０  カード会社
１１１  カード会社サーバ
１１２  カード情報ＤＢ
１１３  利用者識別情報ＤＢ
１１４  変更利用者識別情報ＤＢ
１１５  渡航情報ＤＢ
１２０  利用者
１２１  第１国端末
１２２  パスポート
１３１  第２国端末
１４０  ネットワーク
２１１，２２１  ＣＰＵ
２１２，２２２  メモリ
２１３，２２５  通信ＩＦ
２２３  出力デバイス
２２４  入力デバイス
２１０，２２０  バス
４０１  登録部
４０２  第１取得部
４０３  許可部
４０４  第２取得部
【図１】
2019049911.tif 000003
【図２Ａ】
2019049911.tif 000004
【図２Ｂ】
2019049911.tif 000005
【図３Ａ】
2019049911.tif 000006
【図３Ｂ】
2019049911.tif 000007
【図３Ｃ】
2019049911.tif 000008
【図３Ｄ】
2019049911.tif 000009
【図４】
2019049911.tif 000010
【図５Ａ】
2019049911.tif 000011
【図５Ｂ】
2019049911.tif 000012
【図６Ａ】
2019049911.tif 000013
【図６Ｂ】
2019049911.tif 000014
【図６Ｃ】
2019049911.tif 000015
【図７】
2019049911.tif 000016
【図８】
2019049911.tif 000017
【図９】
2019049911.tif 000018
【図１０】
2019049911.tif 000019